(57)【要約】【課題】  ２次元の情報のみで作成されている間取り図を簡単に３次元化することが可能な３次元間取りの製造装置を得る。【解決手段】  ２次元間取り図面を作製する画像描画作業と、２次元間取り図面に描画された構成部材毎のレイヤー毎に追加して２次元間取り図面を設定するレイヤー設定作業とを行うドロー制御手段と；建築物を構成する要素を部品化し情報を付加して作製する３次元ＣＡＤツールを備えたＢＩＭソフトウェアで、レイヤー毎で構成部材の３次元モデルを作製する３次元モデル作製作業を行うＢＩＭ制御手段と；ＢＩＭ制御手段で得られた構成部材及び躯体の３次元モデルを結合した３次元見取り図データを出力する３次元データ出力手段とを備えるもの。【選択図】      図１
2018063519.tif 000002
【特許請求の範囲】
【請求項１】
図形及び線を各々独立した一つのオブジェクトとして扱うことが可能なドローソフトウェアで、２次元間取り図面を作製する画像描画作業と、２次元間取り図面に描画された壁、開口部、柱を始めとする構成部材及び躯体毎にレイヤーを設定し、構成部材及び躯体の高さ寸法情報をレイヤー毎に追加して２次元間取り図面を設定するレイヤー設定作業とを行うドロー制御手段と、
建築物を構成する要素を部品化し情報を付加して作製する３次元ＣＡＤツールを備えたＢＩＭソフトウェアで、前記レイヤー毎で前記構成部材及び前記躯体の３次元モデルを作製する３次元モデル作製作業を行うＢＩＭ制御手段と、
前記ＢＩＭ制御手段で得られた前記構成部材及び前記躯体の３次元モデルを結合した３次元見取り図データを出力する３次元データ出力手段とを備えたことを特徴とする３次元間取りの製造装置。
【請求項２】
前記ドローソフトウェアが、既存のＣＡＤデータを変換してドローソフトウェアでのデータとするドローデータ変換手段を備えたことを特徴とする請求項１に記載の３次元間取りの製造装置。
【請求項３】
前記３次元データ出力手段の３次元見取り図模型のデータを出力して前記３次元見取り図模型を造形する３次元プリンター手段を更に備えたことを特徴とする請求項１又は２に記載の３次元間取りの製造装置。
【請求項４】
図形及び線を各々独立した一つのオブジェクトとして扱うことが可能なドローソフトウェアで２次元間取り図面を作製する画像描画作業工程と、
２次元間取り図面に描画された壁、開口部、柱を始めとする構成部材及び躯体毎にレイヤーを設定し、構成部材及び躯体の高さ寸法情報をレイヤー毎に追加して２次元間取り図面を設定するレイヤー設定作業工程と、
建築物を構成する要素を部品化し情報を付加して作製する３次元ＣＡＤツールを備えたＢＩＭソフトウェア上で前記設定された２次元間取り図面データを各レイヤー毎で前記構成部材及び前記躯体の３次元モデルを作製する３次元モデル作製作業工程と、
作製された前記構成部材及び前記躯体の３次元モデルを結合した３次元見取り図データを出力する３次元データ出力作業工程とを備えたことを特徴とする３次元間取りの製造法。
【請求項５】
前記画像描画作業工程が、既存のＣＡＤデータを前記ドローソフトウェアに変換した２次元間取り図面を基にして前記ドローソフトウェアで変換した２次元間取り図面の壁、開口部、柱を始めとする構成部材を変更して作製する工程であることを特徴とする請求項４に記載の３次元間取りの製造法。
【請求項６】
前記３次元データ出力作業工程で出力された３次元見取り図データを３次元プリンター手段で縮小して出力して３次元見取り図模型を製造する３次元模型製造工程を更に備えたことを特徴とする請求項４又は５に記載の３次元間取りの製造法。
【発明の詳細な説明】
【技術分野】
【０００１】
本発明は、理解度・認識力の向上、制作時間の短縮を図ることが可能となる３次元間取りの模型を短時間で誤りを低減して製造することができる製造装置及び製造法に関するものである。
【背景技術】
【０００２】
建築の分野でも、ＣＡＤ(Computer Aided Design) ソフトを用いて、コンピュータ上で新たな建築を構築することが容易に可能となっている。加えて、ＣＡＤソフトで構築された建築物をドローソフトウェア等で変換して、間取り図として印刷し、一般の人に閲覧させることも可能となっている。
【０００３】
この場合、当然なことではあるが、間取りの印刷物である間取り図面集は２次元の情報のみが掲載されたものであった。尚、３次元情報を２次元の図面に記述することも可能ではあるが、単純な平面図に加えて複雑な図面と数値の記載が必須となり、専門的な知識を必要とするため、専門的な知識を有しない一般の人が一目瞭然に理解できるものではなかった。
【０００４】
例えば、ＣＡＤデータを用いて、立体的に表示された間取り図において、立体的な家具画像データを配置して表示させるものが提案されている（特許文献１参照）。これは顧客自身が入居後のシミュレーションを行い、それぞれの顧客に合わせた家具配置や壁紙・床材・天井材等のインテリアの選定、それらの導入にかかる費用、入居後の必要経費をその場で見積り可能とすることで迅速な意思決定を促すものである。
【先行技術文献】
【特許文献】
【０００５】
【特許文献１】特開２００２−９２１２６号公報
【発明の概要】
【発明が解決しようとする課題】
【０００６】
しかしながら、立体的な間取り図に立体的な家具を配置するので、使用者が実際に部屋に家具を配置した状態をイメージし易い反面、３次元化とするためにＣＡＤデータを用いるので、立体的な間取り図に加えて、立体的な家具のＣＡＤデータを作成する作業労力が必要となっている。
【０００７】
一方、一つの新築建築物に対しては、設計会社と施工会社と事業主とは、何度も設計図の変更を行うことが常である。即ち、設計会社からの設計図を基に、施工会社が施工に際して矛盾がないかを検証し、この設計図を基に事業主に説明しつつ、事業主の要望を設計会社に説明し、設計図の変更を要請する。変更された設計図は前回と同様に検証して事業主に説明しつつ、再度の要望を設計会社に説明する。
【０００８】
これを繰り返して建築物の躯体構造を決定し、建築物の建設が始まる。その後、建設される建築物の内装の検討を行う。これは、購入者の年齢、家族構成等々を検証し、ターゲットとする購入者を念頭に置いて間取りを事業主が施工会社やデザイナー等と検討して決定する。
【０００９】
この際には、決定された設計図のＣＡＤデータを基にした間取り図面であれば、平面データの数値は正確であるため、設計図のＣＡＤデータを基にして、検討した間取り図面を事業主に示すことが行われている。この内装の検討でも、何度も間取り図面の変更を行うことが常であり、最終的に決定される間取りの状態を事業主に具体的に示すことが求められている。
【００１０】
また、既存の建築物を購入し、これを自身の好みにリフォームして居住しようとすることが一般におこなわれるようになった。この場合に、一般的には既存の建築物のＣＡＤデータは保存されており、このＣＡＤデータを基にして種々の変更を加えて、リフォーム後の建築物の状態を購入希望者に具体的に示すことが求められている。
【００１１】
本発明は、２次元の情報のみで作成されている間取り図を簡単に３次元化することが可能であり、専門的な知識を有しない一般の人でも一目瞭然に理解でき、対象の立体建築物について理解度・認知度を向上させる３次元間取りの立体模型を容易に矛盾なく製造することを目的とするものである。
【課題を解決するための手段】
【００１２】
請求項１に記載された発明に係る３次元間取りの製造装置は、図形及び線を各々独立した一つのオブジェクトとして扱うことが可能なドローソフトウェアで、２次元間取り図面を作製する画像描画作業と、２次元間取り図面に描画された壁、開口部、柱を始めとする構成部材及び躯体毎にレイヤーを設定し、構成部材及び躯体の高さ寸法情報をレイヤー毎に追加して２次元間取り図面を設定するレイヤー設定作業とを行うドロー制御手段と、
建築物を構成する要素を部品化し情報を付加して作製する３次元ＣＡＤツールを備えたＢＩＭソフトウェアで、前記レイヤー毎で前記構成部材及び前記躯体の３次元モデルを作製する３次元モデル作製作業を行うＢＩＭ制御手段と、
前記ＢＩＭ制御手段で得られた前記構成部材及び前記躯体の３次元モデルを結合した３次元見取り図データを出力する３次元データ出力手段とを備えたことを特徴とするものである。
【００１３】
請求項２に記載された発明に係る３次元間取りの製造装置は、請求項１に記載のドローソフトウェアが、既存のＣＡＤデータを変換してドローソフトウェアでのデータとするドローデータ変換手段を備えたことを特徴とするものである。
【００１４】
請求項３に記載された発明に係る３次元間取りの製造装置は、請求項１又は２に記載の３次元データ出力手段の３次元見取り図データを縮小して出力する前記３次元見取り図模型を造形する３次元プリンター手段を更に備えたことを特徴とするものである。
【００１５】
請求項４に記載された発明に係る３次元間取りの製造法は、図形及び線を各々独立した一つのオブジェクトとして扱うことが可能なドローソフトウェアで２次元間取り図面を作製する画像描画作業工程と、
２次元間取り図面に描画された壁、開口部、柱を始めとする構成部材及び躯体毎にレイヤーを設定し、構成部材及び躯体の高さ寸法情報をレイヤー毎に追加して２次元間取り図面を設定するレイヤー設定作業工程と、
建築物を構成する要素を部品化し情報を付加して作製する３次元ＣＡＤツールを備えたＢＩＭソフトウェア上で前記設定された２次元間取り図面データを各レイヤー毎で前記構成部材及び前記躯体の３次元モデルを作製する３次元モデル作製作業工程と、
作製された前記構成部材及び前記躯体の３次元モデルを結合した３次元見取り図データを出力する３次元データ出力作業工程とを備えたことを特徴とするものである。
【００１６】
請求項５に記載された発明に係る３次元間取りの製造法は、請求項４に記載の画像描画作業工程が、既存のＣＡＤデータを前記ドローソフトウェアに変換した２次元間取り図面を基にして前記ドローソフトウェアで変換した２次元間取り図面の壁、開口部、柱を始めとする構成部材を変更して作製する工程であることを特徴とするものである。
【００１７】
請求項６に記載された発明に係る３次元間取りの製造法は、請求項４又は５に記載の３次元データ出力作業工程で出力された３次元見取り図データを３次元プリンター手段で縮小して出力して３次元見取り図模型を製造する３次元模型製造工程を更に備えたことを特徴とするものである。
【発明の効果】
【００１８】
本発明は、２次元の情報のみで作成されている間取り図を簡単に３次元化することが可能であり、専門的な知識を有しない一般の人が一目瞭然に理解でき、対象の立体建築物について理解度・認知度を向上させる３次元間取りの立体模型を容易に矛盾なく製造することができるという効果がある。
【図面の簡単な説明】
【００１９】
【図１】本発明の３次元間取り製造装置の構成を示すブロック図である。
【図２】本実施例動作を示すフローチャートである。
【図３】既存の２次元間取り図面を基にドローソフトウェアで変更した２次元間取り図を示す説明図であり、ａ図は既存の２次元間取り図面、ｂ図はリフォーム案の２次元間取り図である。
【図４】別のリフォーム案の２次元間取り図面に描画された壁、開口部、柱を始めとする構成部材の高さ寸法情報を追加する状態の説明図である。
【図５】３Ｄプリンターで製造した３次元見取り図模型の斜視図である。
【発明を実施するための形態】
【００２０】
本発明の３次元間取り製造装置においては、図形及び線を各々独立した一つのオブジェクトとして扱うことが可能なドローソフトウェアで、２次元間取り図面を作製する画像描画作業と、２次元間取り図面に描画された壁、開口部、柱を始めとする構成部材及び躯体毎にレイヤーを設定し、構成部材及び躯体の高さ寸法情報をレイヤー毎に追加して２次元間取り図面を設定するレイヤー設定作業とを行うドロー制御手段と、
建築物を構成する要素を部品化し情報を付加して作製する３次元ＣＡＤツールを備えたＢＩＭソフトウェアで、レイヤー毎で前記構成部材及び前記躯体の３次元モデルを作製する３次元モデル作製作業を行うＢＩＭ制御手段と、ＢＩＭ制御手段で得られた構成部材及び躯体の３次元モデルを結合した３次元見取り図データを出力する３次元データ出力手段とを備える。これにより、２次元の情報のみで作成されている間取り図を簡単に３次元化することが可能となる。
【００２１】
本発明の３次元間取り製造装置のドロー制御手段は、画像描画作業とレイヤー設定作業とが行えるドローソフトウェアが制御されるものであれば良い。このドローソフトウェアとしては、好ましくは、既存のＣＡＤデータを変換してドローソフトウェアでのデータとするドローデータ変換手段を備えるものであれば良い。このため、ＣＡＤデータを変換して２次元間取り図とする機能を供えたドローソフトウェアが容易に矛盾なく製造することができるため、好ましい。例えば、「イラストレーター(Illustrator)(登録商標、Adobe社製)」「コーレルドロー(CorelDRAW)(登録商標、Corel社製)」等が挙げられる。
【００２２】
本発明の３次元間取り製造装置のＢＩＭ制御手段は、３次元モデル作製作業が行えるＢＩＭソフトウェアが制御されるものであれば良い。このＢＩＭ(Building Information Modeling) ソフトウェアとしては、少なくとも建築物を構成する要素を部品化し情報を付加して作製している３次元ＣＡＤツールを備えるものであればよい。このような３次元ＣＡＤツールを備えるものとしては、「アーキキャド(ArchiCAD)(登録商標、GRAPHISOFT社製)」「アーキトレンド・ゼロ(ARCHITREND ZERO)(登録商標、福井コンピュータアーキテクト社製)」等が挙げられる。
【００２３】
本発明の３次元間取り製造装置の３次元データ出力手段は、ＢＩＭ制御手段で得られた前記構成部材及び前記躯体の３次元モデルを結合した３次元見取り図データを出力するものであれば良い。
【００２４】
これらドロー制御手段、ＢＩＭ制御手段、３次元データ出力手段は、各々個別のコンピュータで行われてもよく、複数のものを一つ以上のコンピュータで行われても良い。
【００２５】
本発明においては、先ず、ドローソフトウェアで画像描画作業とレイヤー設定作業とを行う。即ち、ドローソフトウェアで２次元間取り図面を作製する画像描画作業工程と、２次元間取り図面に描画された壁、開口部、柱を始めとする構成部材及び躯体毎にレイヤーを設定し、構成部材及び躯体の高さ寸法情報をレイヤー毎に追加して２次元間取り図面を設定するレイヤー設定作業工程とを行う。
【００２６】
次に、ＢＩＭソフトウェアで３次元モデル作製作業を行う。即ち、設定された２次元間取り図面を３次元ＣＡＤツールを備えたＢＩＭソフトウェアにインポートするＢＩＭソフトウェアにインポートして、インポートされた２次元間取り図面を前記ＢＩＭソフトウェア上で各レイヤー毎で前記構成部材及び前記躯体の３次元モデルを作製する３次元モデル作製作業工程を行う。
【００２７】
本発明の画像描画作業は、ドローソフトウェアで２次元間取り図面を作製するものであればよい。本発明で使用するドローソフトウェアとしては、図形や線などを各々独立した一つの部品（オブジェクト）として扱うことが可能な画像描画ソフトウェアであればよい。２次元間取り図面はドローソフトウェアで最初から描画されてもよいが、より好ましくは、この画像描画作業の工程は、既存のＣＡＤデータを前記ドローソフトウェアに変換した２次元間取り図面を基にして前記ドローソフトウェアで変換した２次元間取り図面の壁、開口部、柱を始めとする構成部材を変更して作製する工程である。
【００２８】
本発明の画像描画作業工程としては、既存の建築物から自身の好みにリフォームして居住しようとする場合には、既存の２次元間取り図を基にドローソフトウェアを用いて変更することにより、効率的に変更することができ、矛盾も生じることが少ない。好ましい態様の画像描画作業工程としては、既存のＣＡＤデータをドローソフトウェアに変換した２次元間取り図面を基にしてドローソフトウェアで変換した２次元間取り図面の壁、開口部、柱を始めとする構成部材を変更して作製する工程であるものが挙げられる。
【００２９】
本発明のレイヤー設定作業工程としては、２次元間取り図面に描画された壁、開口部、柱を始めとする構成部材及び躯体毎にレイヤーを設定し、構成部材又は躯体の高さ寸法情報をレイヤー毎に追加して２次元間取り図面を設定するものであればよい。即ち、２次元間取り図面に描画された構成部材及び躯体毎の形状及び寸法データを追加すればよい。特に各構成部材の平面形状は２次元間取り図面で記述された通り、データを保持しているが、高さ寸法のデータは平面図では記述されない。そのため、高さ寸法のデータを構成部材毎に操作者が個別に入力して追加する。
【００３０】
以上の工程は、ドローソフトウェアでの２次元間取りの作業となる。これまでの工程で２次元間取りを矛盾なく設定することにより、次のＢＩＭソフトウェアでの３次元間取りの作業を矛盾なく行うことができる。
【００３１】
個々の構成部材は、各々の構成部材毎にレイヤーを設定し、構成部材及び躯体の高さ寸法情報をレイヤー毎に追加して２次元間取り図面が設定される。これらレイヤー毎に構成部材及び躯体の高さ寸法情報を追加して設定された後に、この２次元間取り図面を３次元ＣＡＤツールを備えたＢＩＭソフトウェアにインポートする。
【００３２】
本発明の３次元モデル作製作業工程としては、ＢＩＭソフトウェアでインポートされた２次元間取り図面をこのＢＩＭソフトウェア上で各レイヤー毎で構成部材又は躯体の３次元モデルを作製するものであればよい。前述の通り、ＢＩＭソフトウェアでは、建築物を構成する要素を部品化し情報を付加して作製する３次元ＣＡＤツールを備えるものであるため、この３次元ＣＡＤツールでレイアー毎の構成部材又は躯体の３次元モデルを作製することができる。
【００３３】
特に好ましくは、この３次元モデル作製作業工程では、各レイヤー毎に前記ＢＩＭソフトウェア上でスラブツールとマジックワンドツールとで作製する。即ち、レイアー毎の構成部材又は躯体の３次元モデルを作製する際に、例えば構成部材をスラブツールでスラブとして認識させて部品化することが容易に可能となる。加えて、マジックワンドツールで部品化された構成部材に任意の孔を穿設したり任意の外形に切削することが容易に可能となる。
【００３４】
以上の３次元モデル作製作業で得られた構成部材及び躯体の３次元モデルを結合した３次元見取り図データを３次元データ出力手段で出力し、より好ましくは、３次元プリンター手段によって３次元見取り図データを縮小して出力する３次元見取り図模型を造形する。この場合、得られた３次元見取り図模型では、３次元モデル作製作業で得られた構成部材及び躯体の３次元モデルを結合した３次元見取り図データであるため、個々の３次元モデルの境界面が模型に表出されることがあった。即ち、３次元プリンター手段で造形された模型では、細かい境界面に起因する線が表出されることがあった。
【００３５】
このため、より好ましくは、３次元モデル作成作業の後、３次元データ出力手段で３次元見取り図データを出力する前に、３次元モデル作製作業で作製された構成部材及び躯体の個々の３次元モデルの境界面を解消する操作、即ち、境界面解消作業工程を行ってもよい。この境界面解消作業としては、３次元モデル作製作業で作製された構成部材及び躯体の個々の３次元モデルの境界面を解消する操作であればよい。
【００３６】
例えば、３次元プリンターでの出力の際に外に表出された外形面を強調し、個々の３次元モデルの境界面をぼかす操作を行うことや、ＢＩＭソフトウエア上で結合された個々の３次元モデルを更に一つのモデルとして境界面自体を消去することも該当する。後述する実施例では、ＢＩＭソフトウェア上で、構成部材及び躯体の個々の３次元モデルをモルフ変換し、これらモルフ同士を結合し、更に、結合されたモルフを同一の素材として互いの境界面を消去することで境界面解消作業を行っている。この境界面解消作業によって３次元プリンター手段で造形された模型では、細かい境界面に起因する線が表出されることが無くなる利点を奏する。
【００３７】
本発明では、ＢＩＭソフトウェアの３次元モデル作製作業工程で得られた構成部材及び躯体を３次元で自由に閲覧することが可能となり、更には、３Ｄプリンターで縮小した３次元見取り図模型を製造することができる。得られた３次元見取り図模型によって、専門的な知識を有しない一般の人が一目瞭然に理解でき、対象の立体建築物について理解度・認知度を向上させることができる。また、好ましくは、境界面解消作業を行うことでより、３Ｄプリンターで縮小した３次元見取り図模型では、細かい境界面に起因する線が表出されることが無くなる。
【実施例】
【００３８】
図１は本発明の３次元間取り製造装置の構成を示すブロック図である。図２は本実施例動作を示すフローチャートである。図３は既存の２次元間取り図面を基にドローソフトウェアで変更した２次元間取り図を示す説明図であり、ａ図は既存の２次元間取り図面、ｂ図はリフォーム案の２次元間取り図である。図４は別のリフォーム案の２次元間取り図面に描画された壁、開口部、柱を始めとする構成部材の高さ寸法情報を追加する状態の説明図である。図５は３Ｄプリンターで製造した３次元見取り図模型の斜視図である。
【００３９】
本実施例では、既存の建築物のＣＡＤデータを基にして種々の変更を加えて、リフォーム後の建築物の状態を３次元見取り図模型とする実施例で説明しているが、新築建築物での、当初の設計会社によるＣＡＤデータを基にした間取り図面を何度も変更を行って最終的に決定される間取りの状態を事業主に具体的に示す場合も同様である。図１及び図２に示す通り、ＵＳＢ等の記憶装置に保存されているＣＡＤデータをＰＣ等のデータ処理装置でドロー制御手段としてのドローソフトウェアで変換してドローソフトウェアの２次元間取り図面のデータとする。この２次元間取り図面を基に画像描画作業を行う。
【００４０】
具体的には、図３のａ図に示す既存のマンションの間取りをｂ図のリフォーム案のように変更する。図３のａ図に示す通り、既存のマンションの２次元間取り図面１は、３つの洋間２、３、４と、台所１５に続くリビングダイニング６を備えた３ＬＤＫの間取りである。ａ図に示された２次元間取り図は、ＣＡＤデータが存在しているため、このＣＡＤデータをドローソフトウェアで変換してドローソフトウェアのデータとした。
【００４１】
本実施例のドローソフトウェアとしては、「イラストレーター(Illustrator)(登録商標、Adobe社製)」を用いた。このドローソフトウェアでは、ＣＡＤデータを基にして、２次元間取り図を変換する。変換された２次元間取り図に対して、リフォーム希望者の意見を反映させつつリフォーム案の２次元間取り図を変更する。
【００４２】
ｂ図に示す通り、本実施例のリフォーム案では、２つの洋間２、３を一つの洋間１２と、納戸１３とし、他の洋間４をリビングダイニング６と繋げて広いリビングダイニング１６と、納戸及び物入れを追加した提案を行っている。尚、リフォーム案においても、玄関１４から続く廊下１７側に出入り口を備えたトイレ１８及び洗面所１９に続く浴室２０及び台所１５は、そのままの構成としている。
【００４３】
具体的には、ａ図の２つの洋間２、３の間の壁材及び物入れを消去し、ｂ図に示す通り、一つの洋間１２とする。また、洋間２の廊下側壁面の一部を引き戸にする。ａ図の洋間２の玄関方向の窓を備えた納戸１３として利用するため、ｂ図に示す通り、仕切壁、引き戸及び物入れを追加する。加えて、洋間３と洋間４との間に物入れを新たに追加したｂ図に示したリフォーム案となっている。この段階がドローソフトウェアで２次元間取り図面１１を作製する画像描画作業工程となる。
【００４４】
図１及び図２に示す通り、２次元間取り図面での画像描画作業が終了した後に、レイヤー設定作業を行う。このレイヤー設定作業工程では、図３のｂ図のリフォーム案の２次元間取り図面について、壁、開口部、柱を始めとする構成部材及び躯体毎にレイヤーを設定する。
【００４５】
例えば、図４に示す通り、窓、玄関扉、玄関框等の開口寸法及び厚さは２次元間取り図面で確認可能な通り描画されている。これら窓、玄関扉、玄関框等の高さ寸法情報については図２に記載の通りである。このような２次元間取り図面において、１つの構成部材としての窓のみをレイヤーに設定し、上端高さ寸法、下端高さ寸法をレイヤーに追加し、他の構成部材及び躯体についても同様に行う。
【００４６】
上端高さ寸法、下端高さ寸法等の高さ情報を設定してレイヤー設定作業が終了した後に、ＢＩＭ制御手段としてのＢＩＭソフトウェアにインポートして、この２次元間取り図面を３次元ＣＡＤツールであるＢＩＭ(Building Information Modeling) ソフトにインポートして３次元モデルとする。本実施例で用いたＢＩＭソフトウェアとしては、「アーキキャド(ArchiCAD)(登録商標、GRAPHISOFT社製)」を用いた。
【００４７】
図１及び図２に示す通り、３次元モデル作製作業工程としては、レイヤーを設定して高さ情報を設定した２次元間取り図面をＢＩＭソフトウェアでインポートしたデータについて、個々のレイヤー毎に建築物を構成する要素を部品化し情報を付加して作製する３次元ＣＡＤツールで３次元モデルを作製する。なお、各レイヤー毎に前記ＢＩＭソフトウェア上でスラブツールとマジックワンドツールとで作製する。具体的には、構成部材をスラブツールでスラブとして認識させて部品化することが容易に可能となる。加えて、マジックワンドツールで部品化された構成部材に任意の孔を穿設したり任意の外形に切削することが容易に可能となる。
【００４８】
次に、使用目的に合わせてデータの書き出しを行えばよい。例えば、平面図の他に斜視図や俯瞰図を印刷したり、ＶＲ等で３次元モデルを自由な視線で表出させることをおこなってもよい。更に、図１及び図２に示す通り、３次元データ出力手段で３次元見取り図模型として、境界面解消作業工程で変換されたモルフを結合した後に、図５の通り、３Ｄプリンターで縮小した３次元見取り図模型３０を製造することにより、得られた３次元見取り図模型３０によって、専門的な知識を有しない一般の人が一目瞭然に理解でき、対象の立体建築物について理解度・認知度を向上させることができる。
【００４９】
尚、境界面解消作業工程は、作製された構成部材及び躯体の３次元モデルをＢＩＭソフトウェア上でモルフに変換しこれらモルフを結合し、一つの素材とすることにより、３次元モデル作製作業で作製された構成部材及び躯体の個々の３次元モデルの境界面を解消する。これは、３次元プリンター手段で模型を造形させた場合に、レイヤー毎の３次元モデルを結合させた場合に、個々の３次元モデルの境界面に起因する線が模型に表出される虞があるためである。
【産業上の利用可能性】
【００５０】
本発明は、２次元間取り図面を基にして３次元化し、専門的な知識を有しない一般の人でも一目瞭然に理解でき、対象の立体建築物について理解度・認知度を向上させる３次元間取りを容易に矛盾なく製造することができる。
【符号の説明】
【００５１】
１１…リフォーム案の２次元間取り図面、
１２…洋間、
１３…納戸、
１４…玄関、
１５…台所、
１６…リビングダイニング、
１７…廊下、
１８…トイレ、
１９…洗面所、
２０…浴室、
３０…３次元見取り図模型、
【図１】
2018063519.tif 000003
【図２】
2018063519.tif 000004
【図３】
2018063519.tif 000005
【図４】
2018063519.tif 000006
【図５】
2018063519.tif 000007